(57)【要約】【課題】  商品の販売促進における懸賞キャンペーンなどの消費者への告知の方法として商品に印刷表示又はチラシ等で懸賞キャンペーンの告知がされていた。【解決手段】当選形式の懸賞キャンペーン告知とハガキが融合された印刷物を提供する。【選択図】      図１
2005343162.tif 000002
【特許請求の範囲】
【請求項１】
用紙の両面に所定の印刷及びハガキの印刷をおこない段差を設けるよう二つに折り込み、折り込みの位置にミシンを施し折り込んだ左右と天部に剥離可能な粘着剤を設け接着し、前記二つ折り段差部に両面テープを設けたことを特徴とする郵送印刷物。
【発明の詳細な説明】
【技術の分野】
【０００１】本発明は、用紙の両面に所定の印刷及びハガキの印刷をおこない段差を設けるよう二つに折り込み、折り込んだ位置にミシンを施し折り込んだ左右と天部に剥離可能な粘着剤を設け接着し、前記二つ折り段差部に両面テープを設けた郵送印刷物に関するものである。
【背景技術】
【０００２】  用紙前面に剥離可能な粘着剤により重ね合わせカードを葉書の現行の郵便規格に合致した構成とすることによって葉書として使用でき、多量の通知情報を設ける発明がされていた。
【特許文献１】特許公開番号特開平０９−２６７５８７
【発明の開示】
【発明が解決しようとする課題】
【０００３】  これには次のような欠点があった。
商品の販売促進における懸賞キャンペーンなどの消費者への告知の方法として商品に印刷表示又はチラシ等で懸賞キャンペーンの告知がされていた。
（イ）従来、ハガキ付懸賞応募の印刷物は、所定の印刷を設けた印刷用紙に段差を設け二つ折をおこない、ハガキの余分な部分にミシンを設けハガキを切り取る形式で構成されていた。
（ロ）ハガキ付懸賞応募の印刷物は、所定の印刷を設けた印刷用紙に段差を設け二つ折をおこない、ハガキの余分な部分にミシンを設けハガキを切り取る構成形態のミシン加工は、生産効率を妨げる加工であった。
（ニ）ハガキ付懸賞応募の印刷物は、所定の印刷を設けた印刷用紙に段差を設け二つ折をおこなう際、折部全面に剥離可能な粘着剤にて接着をおこなっていたが、これは生産コストがかかるものであった。
（ホ）ハガキ付懸賞応募の印刷物においては、２枚の印刷物の構成により製造されているものが既存していたが、これは、生産効率を妨げ生産コストがかかるものであった。
本発明は、これらの問題点を解決するためになされたものである。
【課題を解決するための手段】
【０００４】  一枚の用紙の両面に所定の印刷及びハガキの印刷をおこない段差を設けるよう二つに折り込み、折り込みの位置にミシンを施し折り込んだ左右と天部に剥離可能な粘着剤を設け接着し、前記二つ折り段差部に両面テープを設け商品への添付を可能とし、販売促進としての活用において印刷本体（１０）からの印刷部（１０２）に懸賞等のくじ引きが印刷され、二つ折されている状態で封印され、消費者により前記封印部の開封により当選および落選の判明が可能とされ、消費者が当選した場合にハガキ部（１０１）にて景品商品の申し込みが可能となる当選形式の懸賞キャンペーン告知とハガキが融合された郵送印刷物を提供する。
【発明の効果】
【０００５】本発明における、一枚の用紙の両面に所定の印刷及びハガキの印刷をおこない段差を設けるよう二つに折り込み、折り込みの位置にミシンを施し折り込んだ左右と天部に剥離可能な粘着剤を設け接着し、前記二つ折り段差部に両面テープを設けた郵送印刷物の提供により、従来ハガキ付懸賞応募の印刷物は所定の印刷を設けた印刷用紙に段差を設け二つ折をおこないハガキの余分な部分にミシンを設けハガキを切り取る形式や、２枚の印刷物により構成された印刷物が既存していたが生産効率を妨げ生産コストがかかる問題が生じていたが本発明の効果により前記の問題の解消は実現される。
商品の販売促進における懸賞キャンペーンなどの消費者への告知の方法として商品に印刷表示又はチラシ等で懸賞キャンペーンの告知がされていた。
懸賞キャンペーンの形式においては、消費者個人にてハガキを調達し申し込む方法や、チラシ等の懸賞キャンペーンの告知においては商品と懸賞キャンペーンが分離した状態にあった。
本発明は販売促進としての活用において印刷本体（１０）からの印刷部（１０２）に懸賞等のくじ引きが印刷され、二つ折されている状態で封印され、消費者により前記封印部の開封により当選および落選の判明が可能とされ、消費者が当選した場合にハガキ部（１０１）にて景品商品の申し込みが可能となる当選形式の懸賞キャンペーン告知とハガキが融合された郵送印刷物の提供を実現するものである。
本発明は、以上の効果を実現するものである。
【発明を実施するための最良の形態】
【０００６】  以下、本発明の実施の形態について図１乃至図４をもちいて説明する。
図１に記載されているのは、本発明の構成で印刷本体（１０）の裏面に所定の印刷を設ける。
郵送可能としたハガキ部（１０１）の印刷と、印刷部（１０２）に所定の印刷を設ける。印刷本体（１０）に段差を設ける位置で二つ折りをおこない、二つ折りの折部にミシン（１０５）を設ける。
印刷本体（１０）全体のＡ幅から、段差Ｅ幅が露出される位置でＢ幅のハガキ部（１０１）が二つ折され、折込される位置にミシン（１０５）が施されている。
ミシン（１０５）から二つ折される幅Ｃの位置内方に剥離可能な剥離糊（１０３）が左右及び上方に設けられハガキ部（１０１）は二つ折接着される。
ハガキ部（１０１）の印刷及び印刷部（１０２）における印刷は、実施の形態と内容にともない、用紙の表裏及び任意の位置に印刷が可能とされるものである。
段差Ｅ幅が露出されている部分に両面テープ（１０４）を設ける。
本図面記載においては段差Ｅ幅が露出されている部分の表面に両面テープ（１０４）を設けるよう記載しているが、必要に応じては裏面に両面テープ（１０４）を設けることも可能である。
図２の記載においては、図１に記載された構成から、ハガキ部（１０１）が二つ折される経過を示したものである。
図３は、本発明の実施の形態で図１及び、図２からハガキ部（１０１）が完全に二つ折された状態を示したものである。
図４に示されているのは、本発明の構成の断面図示した図である。
以上、本発明の構成で、実施において下記に示す。
本発明の実施
本発明は用紙の両面に所定の印刷及びハガキの印刷をおこない段差を設けるよう二つに折り込み、折り込みの位置にミシンを施し折り込んだ左右と天部に剥離可能な粘着剤を設け接着し、前記二つ折り段差部に両面テープを設けた郵送印刷物の提供で、本発明は商品の販売促進として活用されるもので、本発明の印刷本体（１０）の段差Ｅ幅の露出されている部分に設けられた両面テープ（１０４）により、所定の商品に印刷本体（１０）の添付が可能となる。
印刷本体（１０）からの印刷部（１０２）に懸賞等のくじ引きが印刷され、二つ折されている状態で封印され、消費者により前記封印部の開封により当選および落選の判明が可能とされる。
消費者が当選した場合にハガキ部（１０１）にて景品商品の申し込みが可能となるものである。
本発明は、以上の実施がされるものである。
【産業上の利用可能性】
【０００７】従来、懸賞キャンペーンにおいては商品に印刷表示などがされて、消費者に告知され、消費者が個人的にハガキ等を用意しなければならかったが、本発明は商品の販売促進として活用されるもので、印刷本体（１０）からの印刷部（１０２）に懸賞等のくじ引きが印刷され、二つ折されている状態で封印され、消費者により前記封印部の開封により当選および落選の判明が可能とされ、消費者が当選した場合にハガキ部（１０１）にて景品商品の申し込みが可能となり、本発明の印刷本体（１０）の段差Ｅ幅の露出されている部分に設けられた両面テープ（１０４）により所定の商品に印刷本体（１０）の添付が可能となる。
本発明の印刷本体（１０）が商品の添付が可能となることにおいて、任意の期間に商品の広告や懸賞キャンペーンが可能となる。
本発明は、以上の構成より産業上利用されるものである。
【図面の簡単な説明】
【０００８】
【図１】本発明の構成を示した図である。
【図２】本発明の構成を示した図である。
【図３】本発明の形態を示した図である。
【図４】本発明における構成の断面を示した図である。
【符号の説明】
【０００９】１０．印刷本体
１０１．ハガキ部
１０２．印刷部
１０３．剥離糊
１０４．両面テープ
１０５．ミシン
１０６．剥離紙
【図１】
2005343162.tif 000003
【図２】
2005343162.tif 000004
【図３】
2005343162.tif 000005
【図４】
2005343162.tif 000006